(57)【要約】      （修正有）【課題】内容物を視認でき、吊下げた状態でも内容物を取出し易く、さらには取り付け場所を汚したり傷付けたりしない小物入れを提供する。【解決手段】袋状部材の左右両側面の上部に棒状部材貫通用孔７，７をそれぞれ設け、前記袋状部材のうち棒状部材貫通用孔７，７より上方を袋入り口部４とすると共に下方を袋収容部５とし、袋入り口部４には入り口を、また袋収容部５には開閉手段８を有する取出口をそれぞれ形成して成る。入り口を左右方向に長いスリットにするとよい。【選択図】図１
0003179735.tif 000002
【実用新案登録請求の範囲】
【請求項１】
袋状部材の左右両側面の上部に棒状部材貫通用孔をそれぞれ設け、前記袋状部材のうち棒状部材貫通用孔より上方を袋入り口部とすると共に下方を袋収容部とし、  袋入り口部には入り口を、また袋収容部には開閉手段を有する取出口をそれぞれ形成して成る小物入れ。
【請求項２】
前記入り口が左右方向に長いスリットであることを特徴とする請求項１に記載の小物入れ。
【請求項３】
前記入り口が開閉手段を有することを特徴とする請求項１又は２に記載の小物入れ。
【請求項４】
前記袋収容部の正面に窓部を設け、窓部を透視可能なシートにより形成することを特徴とする請求項１乃至３のいずれか１項に記載の小物入れ。 
【請求項５】
前記シートがメッシュであることを特徴とする請求項４に記載の小物入れ。
【請求項６】
前記棒状部材貫通孔に貫通させる棒状部材が、突っ張り棒であることを特徴とする請求項１乃至５のいずれか１項に記載の小物入れ。
【請求項７】
前記袋収容部の背面に尻尾状の布を固着したことを特徴とする請求項１乃至６のいずれか１項に記載の小物入れ。
【考案の詳細な説明】
【技術分野】
【０００１】
本考案は、小物入れの改良に関する。
【背景技術】
【０００２】
吊下げ部材を備えた袋状の小物入れがある（特許文献１）。  小物が散乱せず、便利である。また、壁等に固定したフック等の吊下げ手段に吊下げればよく、取付けが容易である。  
【０００３】
しかし、ポケット内の収容物が見えず、何を収容したのかが分からなくなり易い。また、吊下げたままの状態では内容物を取出し難い。加えてフック等の吊下げ手段がない状態では使用できず、取り付け場所を汚したり傷付けたりしたくない場合には不向きである。
【先行技術文献】
【特許文献】
【０００４】
【特許文献１】特開２００４−２８３３６８号公報
【考案の概要】
【考案が解決しようとする課題】
【０００５】
そこで本考案は、内容物を視認でき、吊下げた状態でも内容物を取出し易く、さらには取り付け場所を汚したり傷付けたりしない小物入れを提供することを目的とする。
【課題を解決するための手段】
【０００６】
この目的達成のため本考案は次の構成になっている。  請求項１の考案は、袋状部材の左右両側面の上部に棒状部材貫通用孔をそれぞれ設け、前記袋状部材のうち棒状部材貫通用孔より上方を袋入り口部とすると共に下方を袋収容部とし、  袋入り口部には入り口を、また袋収容部には開閉手段を有する取出口をそれぞれ形成して成る。  請求項２の考案は、前記入り口が左右方向に長いスリットであることを特徴とする。  請求項３の考案は、前記入り口が開閉手段を有することを特徴とする。  請求項４の考案は、前記袋収容部の正面に窓部を設け、窓部を透視可能なシートにより形成することを特徴とする。  請求項５の考案は、前記シートがメッシュであることを特徴とする。  請求項６の考案は、前記棒状部材が、突っ張り棒であることを特徴とする。  請求項７の考案は、前記袋収容部の背面に尻尾状の布を固着したことを特徴とする。  上記本考案の内容物を透視可能な布は、透明または半透明な布の他、メッシュ状の布を含む。
【考案の効果】
【０００７】
このように請求項１の考案によれば、袋状部材の左右両側面の上部に棒状部材貫通用孔をそれぞれ設け、前記袋状部材のうち棒状部材貫通用孔より上方を袋入り口部とすると共に下方を袋収容部とし、袋入り口部には入り口を、また袋収容部には開閉手段を有する取出口をそれぞれ形成するので、この小物入れを棒状部材に吊下げたとき、入り口が棒状部材の上に位置し、内容物（小物）の重さによって入り口がすぼむことがなく、大きく開くことができ、小物を収容し易い。また、小物は収容された位置に近い取出口より容易に取出すことができる。  請求項２の考案によれば、入り口が左右方向に長いスリットであるので、上下方向に設けたものより大きく開くことができ、小物の収容が一層容易になる。  請求項３の考案によれば、入り口が開閉手段を有するので、入り口を閉じることにより、風等により小物入れが揺れても内容物が落下しない。  請求項４の考案によれば、袋収容部の正面に窓部を設け、窓部を透視可能なシートにより形成するので、袋状部材は内容物を視認できる。  請求項５の考案によれば、内容物を透視可能な布がメッシュ状の布であるので、通気性がよい。  請求項６の考案によれば、棒状部材が突っ張り棒であるので、壁間などに取付け易い。  請求項７の考案によれば、袋収容部の背面に尻尾状の布を固着するので、袋収容部が重くなり、小物入れは袋収容部が棒状部材の下側にぶら下がった状態に一層なり易い。
【図面の簡単な説明】
【０００８】
【図１】猫の形状を模した小物入れに棒状部材を貫通させた状態の正面図である。
【図２】図１の側面図である。
【図３】図１の小物入れのチャックを取り外した状態の縦断面図である。
【図４】図１の小物入れの使用例を示す図である。
【図５】図４の入り口と取出口のチャックを開けた状態の図である。
【図６】図１の背面図である。
【図７】クマの形状を模した小物入れの正面図である。
【図８】ウサギの形状を模した小物入れの正面図である。
【図９】ライオンの形状を模した小物入れの正面図である。
【図１０】パンダの形状を模した小物入れの正面図である。
【図１１】ブタの形状を模した小物入れの正面図である。
【図１２】カエルの形状を模した小物入れの正面図である。
【考案を実施するための形態】
【０００９】
この考案の実施態様を図面に基づいて説明する。  図１は猫の形状を模した小物入れに棒状部材を貫通させた状態の正面図、図２は側面図、図３はチャックを取り外した状態の縦断面図、図６は背面図である。  小物入れ１は、袋状部材の左右両側面の上部に棒状部材貫通用孔７,７をそれぞれ設け、棒状部材貫通用孔７,７より上方を袋入り口部４とし、下方を袋収容部５とする。  袋入り口部４の正面には入り口１１を、また袋収容部５には取出口１４をそれぞれ形成する。  袋状部材は、袋入り口部４が猫の頭部を、袋収容部５が猫の胴体部をそれぞれ模している。  袋入り口部４の上部に耳状の布３を、袋収容部５の下部に後足状の布６をそれぞれ取付けると共に、袋収容部５の下部と後足状の布６の長さを、袋入り口部４と耳状の布３の長さより長く（約２倍に）する。  入り口１１は左右方向に長いスリットであり、チャック１２を有する。また、取出口１４は、袋収容部５の前側の外周縁に沿って設けられ、チャック８を有する。  また、袋収容部５の正面に窓部９を設けると共に、この窓部９にメッシュ状の布１０を固着する。  棒状部材貫通用孔７,７には前足状の棒状部材２を貫通させて使用する。  棒状部材２には、突っ張り棒と呼ばれる伸縮自在の公知の棒を使用するとよい。  
【００１０】
以上の構成の小物入れ１は、例えばチャック８，１２を閉じた状態で棒状部材２を棚の側板１３間に掛け渡す。小物入れ１は袋収容部５及び後足状の布６が棒状部材２の下側にぶら下がった状態になる。  この状態で入り口１１のチャック１２を開けて、内部に洗濯バサミ等の小物１５を入れると、小物１５は袋収容部５側へと落下する。この小物１５は、メッシュ状の布１０を介して視認できる（図４参照）。  小物１５を取出す際は、側板１３間に掛け渡した状態のままでチャック８を開けて取出口１４から取り出す（図５参照）。  側板１３間に掛け渡した状態では、入り口１１から手を入れて取り出すのは困難であり、チャック８を開けて取出口１４から取り出すのは容易である。  また、棒状部材貫通用孔７の径を棒状部材２の径より大にすると、棚の側板１３間に掛け渡した状態で、小物入れ１を棒状部材２上の任意の位置に移動できる。  なお、伸ばした棒状部材２には、タオル１６などを掛けてもよい。  
【００１１】
図１〜図６は猫のキャラクタであるが、図７〜図１２に示すようにクマ、ウサギ、ライオン、パンダ、ブタ、カエルのキャラクタにしてもよい。棒状部材２は、各キャラクタの前足に近い色に着色する。  このように様々な動物のキャラクタを揃えることにより顧客の購買意欲を掻き立てる効果が期待できる。  また、尻尾を有する動物については、袋収容部５の背面に尻尾状の布１７を固着するとよい（図６）。袋収容部５が重くなり、小物入れ１は袋収容部５が棒状部材２の下側にぶら下がった状態に一層なり易い。  
【００１２】
前記の実施形態では、窓部９にメッシュ状の布１０を固着しているが、本考案はこれに限るものではない。窓部９に透明または半透明な布（図示せず）を固着してもよい。  ただし、メッシュ状の布１０を固着すると、小物入れ１内部の通気性がよくなる。  また、前記実施形態では、棒状部材２が突っ張り棒であるが、本考案はこれに限るものではなく、竿などであってもよい。ただし、突っ張り棒にすると壁間などに固定し易い。さらに、伸縮するので異なった間隔の壁間に取付け可能である。棒状部材２の先端は図面上円錐台状であるが、本考案はこれに限るものではない。キャラクタの形状に合わせたもの（例えば掌状）にするとデザイン性が向上する。  また、前記実施形態では、取出口１４と入り口１１にチャック８，１２を取付けたが、本考案はこれに限るものではない。チャックの代わりに面ファスナなどの開閉手段を使用してもよい。ただし、チャックを使用すると開閉が容易である。特に、小物入れを壁間等に掛け渡した状態で、棒とほぼ平行に開閉できるので開閉が容易である。
【符号の説明】
【００１３】
１  小物入れ  ２  棒状部材  ４  袋入り口部  ５  袋収容部  ７  棒状部材貫通用孔  ８，１２  チャック  １０  メッシュ状の布  １１  入り口  １４  取出口
【図１】
0003179735.tif 000003
【図２】
0003179735.tif 000004
【図３】
0003179735.tif 000005
【図４】
0003179735.tif 000006
【図５】
0003179735.tif 000007
【図６】
0003179735.tif 000008
【図７】
0003179735.tif 000009
【図８】
0003179735.tif 000010
【図９】
0003179735.tif 000011
【図１０】
0003179735.tif 000012
【図１１】
0003179735.tif 000013
【図１２】
0003179735.tif 000014